(57)【要約】【課題】  暖房機が認識する室内温度と実際の室内温度との間に大きな差が発生することを防止する暖房機を提供する。【解決手段】  暖房機１０は、第１ヒータ２１及び第２ヒータ２２と温度センサ３１と制御部４２とを備え、第１ヒータ２１及び第２ヒータ２２の双方が発熱する第１暖房モードと、第２ヒータ２２が発熱すると共に第１ヒータ２１が発熱しない第２暖房モードと、を有する。制御部４２は、温度センサ３１の検出値を修正した値を室内温度として採用する。制御部４２は、温度センサ３１の検出値を、検出された検出値よりも低温側に修正する第１補正要素であって、第２暖房モードのときに、第１暖房モードのときと比較して、温度センサ３１の検出値を高温側に修正する第１補正要素を用いて、温度センサ３１の検出値を修正する。【選択図】  図１
2018004191.tif 000002
【特許請求の範囲】
【請求項１】
複数のヒータと温度センサと制御部とを備え、
前記制御部が室内温度を取得可能であり、
前記複数のヒータの全てのヒータが発熱する第１暖房モードと、前記複数のヒータのうち少なくとも１つのヒータが発熱すると共に少なくとも前記温度センサから最も近いヒータが発熱しない第２暖房モードと、を有する暖房機であって、
前記制御部は、前記温度センサの検出値を修正した値を前記室内温度として採用し、
前記制御部は、前記温度センサの前記検出値をこの検出値よりも低温側に修正する第１補正要素であって、前記第２暖房モードのときに、前記第１暖房モードのときと比較して、前記温度センサの前記検出値を高温側に修正する第１補正要素を用いて、前記温度センサの前記検出値を修正することを特徴とする暖房機。
【請求項２】
前記制御部によって制御されるファンモータによって回転するファンと、
室内の空気を前記ファンへ導く導風トンネルと、
前記ファンの回転によって送風される風の吹出口と、
をさらに備える、請求項１記載の暖房機。
【請求項３】
前記暖房機の運転時において、前記複数のヒータはいずれも水平方向に沿って延びるように配置され、且つ、前記温度センサから最も近い前記ヒータが最も上方に配置され、
前記運転時において、前記吹出口は、前記第２暖房モードにおいて発熱する少なくとも１つの前記ヒータと同じ高さに配置され、又はこのヒータより上方であって最も上方に配置されている前記ヒータより下方に配置される、請求項２記載の暖房機。
【請求項４】
前記温度センサは、前記導風トンネルの入口に配置され、
前記制御部は、第１送風モードと、前記第１送風モードと比較して前記ファンモータの前記回転速度が速い第２送風モードと、を含む複数の送風モードから任意の送風モードを選択可能であり、
前記制御部は、前記第１補正要素を用いて低温側に修正した前記温度センサの前記検出値を高温側に修正する第２補正要素であって、前記第２送風モードのときに、前記第１送風モードのときと比較して、前記第１補正要素を用いて低温側に修正した前記温度センサの前記検出値を高温側に修正する第２補正要素を用いて、前記温度センサの前記検出値をさらに修正する、請求項２又は３記載の暖房機。
【請求項５】
前記制御部は、前記室内温度として採用する前記温度センサの前記検出値を修正した値に応じて、前記第１暖房モード又は前記第２暖房モードを選択する、請求項１から４いずれか１項記載の暖房機。
【発明の詳細な説明】
【技術分野】
【０００１】
本発明は、暖房機に関する。本発明は、特に、室内温度に応じて温調運転を行う暖房機に関する。
【背景技術】
【０００２】
昨今より、エアコンディショナーを用いずに、又はエアコンディショナーと併用して室内を暖める電気ストーブ等の暖房機が普及している。例えば特許文献１には、温度センサを有して、室内温度を検出し、検出した室内温度に応じてヒータのＯＮ／ＯＦＦを制御する、いわゆる温調運転が可能な暖房機が開示されている。
【０００３】
特許文献１に開示されている暖房機は、室内温度に応じて自動的にヒータのＯＮ／ＯＦＦが制御されることによって、例えば使用者が室内温度に応じて手動でヒータのＯＮ／ＯＦＦを切り替える必要がなく、使用者の煩わしさが軽減される。
【先行技術文献】
【特許文献】
【０００４】
【特許文献１】実用新案登録第３１１４８３１号公報
【発明の概要】
【発明が解決しようとする課題】
【０００５】
ところで、温度センサが特に暖房機のケース内に配置されているときには、ヒータによる発熱によって、暖房機のケース内の温度が室内温度と比較して高くなる可能性があることを、本発明者は認識した。その結果、特許文献１に開示されている暖房機において、何かしらの対策もしないとすると、室内温度と解離する温度センサの検出値に応じてヒータのＯＮ／ＯＦＦの制御が実行されてしまうことを、本発明者は認識した。
【０００６】
本発明の１つの目的は、暖房機が認識する室内温度と実際の室内温度との間に大きな差が発生することを防止する暖房機を提供することである。本発明の他の目的は、以下に例示する態様及び最良の実施形態、並びに添付の図面を参照することによって、当業者に明らかになるであろう。
【課題を解決するための手段】
【０００７】
以下に、本発明の概要を容易に理解するために、本発明に従う態様を例示する。
【０００８】
本発明に従う第１の態様は、複数のヒータと温度センサと制御部とを備え、
前記制御部が室内温度を取得可能であり、
前記複数のヒータの全てのヒータが発熱する第１暖房モードと、前記複数のヒータのうち少なくとも１つのヒータが発熱すると共に少なくとも前記温度センサから最も近いヒータが発熱しない第２暖房モードと、を有する暖房機であって、
前記制御部は、前記温度センサの検出値を修正した値を前記室内温度として採用し、
前記制御部は、前記温度センサの前記検出値をこの検出値よりも低温側に修正する第１補正要素であって、前記第２暖房モードのときに、前記第１暖房モードのときと比較して、前記温度センサの前記検出値を高温側に修正する第１補正要素を用いて、前記温度センサの前記検出値を修正することを特徴とする暖房機に関する。
【０００９】
第１の態様によると、暖房機は、第１補正要素を用いて温度センサの検出値を修正した値を室内温度として採用する。その結果、暖房機の内部温度が上昇することに起因して、暖房機が採用する室内温度と実際の室内温度との間に大きな差が発生することを防止することができる。
【００１０】
本発明に従う第２の態様は、第１の態様において、前記制御部によって制御されるファンモータによって回転するファンと、
室内の空気を前記ファンへ導く導風トンネルと、
前記ファンの回転によって送風される風の吹出口と、
をさらに備えてもよい。
【００１１】
第２の態様によると、暖房機の運転中は内部温度が上昇するため、導風トンネルに取り込まれた室内の空気が、この内部温度によって暖められて吹出口から吹き出されることによって、暖房機が温風を送風することができる。
【００１２】
本発明に従う第３の態様は、第２の態様において、前記暖房機の運転時において、前記複数のヒータはいずれも水平方向に沿って延びるように配置され、且つ、前記温度センサから最も近い前記ヒータが最も上方に配置され、
前記運転時において、前記吹出口は、前記第２暖房モードにおいて発熱する少なくとも１つの前記ヒータと同じ高さに配置され、又はこのヒータより上方であって最も上方に配置されている前記ヒータより下方に配置されてもよい。
【００１３】
第３の態様によると、吹出口から吹き出される風は、暖房モードが第１暖房モードであっても第２暖房モードであっても発熱するヒータがこのヒータの周りの空気が暖めることによって発生する対流熱を吸収することによって、その温度が上昇する。
【００１４】
本発明に従う第４の態様は、第２又は第３の態様において、前記温度センサは、前記導風トンネルの入口に配置され、
前記制御部は、第１送風モードと、前記第１送風モードと比較して前記ファンモータの前記回転速度が速い第２送風モードと、を含む複数の送風モードから任意の送風モードを選択可能であり、
前記制御部は、前記第１補正要素を用いて低温側に修正した前記温度センサの前記検出値を高温側に修正する第２補正要素であって、前記第２送風モードのときに、前記第１送風モードのときと比較して、前記第１補正要素を用いて低温側に修正した前記温度センサの前記検出値を高温側に修正する第２補正要素を用いて、前記温度センサの前記検出値をさらに修正してもよい。
【００１５】
第４の態様によると、第１補正要素と第２補正要素とを用いることによって、温度センサの検出値を修正した値を室内温度として採用する。その結果、暖房機の内部温度が上昇すること及び、送風機能によって吸い込まれる室内の空気と温度センサの周辺の空気との間の熱交換が行われて温度センサの周辺の空気の温度が下がることに起因して、暖房機が採用する室内温度と実際の室内温度との間に大きな差が発生することを防止することができる。
【００１６】
本発明に従う第５の態様は、第１から第４の態様において、前記制御部は、前記室内温度として採用する前記温度センサの前記検出値を修正した値に応じて、前記第１暖房モード又は前記第２暖房モードを選択してもよい。
【００１７】
室内温度に応じて適切な暖房モードを選択するいわゆる温調運転を実現することができる。そのため、使用者は、室内温度の変化に応じて、手動で暖房モードを切り替える必要がない。
【００１８】
当業者は、例示した本発明に従う態様が、本発明の精神を逸脱することなく、さらに変更され得ることを容易に理解できるであろう。
【図面の簡単な説明】
【００１９】
【図１】暖房機の構成の例を示すブロック図である。
【図２】図１に示される暖房機を側面から見た図である。
【図３】図１に示される暖房機の動作の例を示すフローチャートである。
【発明を実施するための形態】
【００２０】
以下に説明する最良の実施形態は、本発明を容易に理解するために用いられている。従って、当業者は、本発明が、以下に説明される実施形態によって不当に限定されないことを留意すべきである。なお、説明中、上下とは、床面に近づく方向を下方、床面から離れる方向を上方とする。
【００２１】
図１及び図２を参照して、暖房機１０の構成の例を説明する。図１には、運転時の状態である、室内の壁６０に取り付けられた状態の暖房機１０が示されている。また、図２には、図１に示される暖房機１０を図１の矢印２の方向から見た状態の暖房機１０が示されている。
【００２２】
暖房機１０は、２つのヒータ２１，２２と温度センサ３１と制御部４２とを、ケース１１に収納して備える。また、暖房機１０は、ファンモータ５１と、ファン５２と、導風トンネル１３と、吹出口１９と、をさらに備えてもよい。ケース１１の両側方には、導風トンネル１３の入口１５Ｌ，１５Ｒが設けられている。導風トンネル１３の左右の入口１５Ｌ，１５Ｒは、フィルタを有するケース側面部１６によって覆われている。なお、実際には、暖房機１０は、２つのヒータ２１，２２よりも室内側に、２つのヒータ２１，２２を保護する網板を備えるが、図１においては図示が省略されている。
【００２３】
導風トンネル１３は、２つのヒータ２１，２２よりも上方に、ケース１１を左右方向に貫通するように形成されており、室内の空気をファン５２に導く（図２においては、導風トンネル１３のファン５２より右側のみ示されている）。ファン５２は、導風トンネル１３の左右方向略中央に配置され、ファンモータ５１が回転することによって回転する。ファン５２が一方向に回転することによって導風トンネル１３の左右の入口１５Ｌ，１５Ｒから室内の空気が吸い込まれる。それと同時に、２つのヒータ２１，２２よりも壁６０側に設けられる反射板１７に形成される開口である吹出口１９から室内の空気が風となって吹き出す。このように暖房機１０は送風機能を有する。
【００２４】
２つのヒータ２１，２２は、ニクロム線等の発熱線を含み、制御部４２の制御によって電力が供給されるときにこの発熱線が発熱して、例えば遠赤外線を放射する熱放射源である。２つのヒータ２１，２２はいずれも、壁６０に対して平行に配置され、且つ、水平方向に沿って延びるように配置される。図１に示される２つのヒータのうち、上側に配置されているヒータ２１を第１ヒータ２１とも呼び、下側に配置されているヒータ２２を第２ヒータ２２とも呼ぶ。第１ヒータ２１は、第２ヒータ２２よりも、温度センサ３１から近い。なお、第１ヒータ２１が第２ヒータ２２よりも温度センサ３１から近いとは、第１ヒータ２１の両端のうち温度センサ３１に近い側の一端と温度センサ３１との三次元空間における直線距離が、第２ヒータ２２における同じ側の一端と温度センサ３１との三次元空間における直線距離よりも短いことを表す。第１ヒータ２１及び第２ヒータ２２による熱放射は、第１ヒータ２１及び第２ヒータ２２から直接又は、反射板１７によって反射されて、室内に放射される。
【００２５】
温度センサ３１は、例えば、サーミスタ、測温抵抗帯、熱電対等の周知の接触式のセンサ素子を含み、このセンサ素子が接触する空気の温度を表す信号を出力可能に構成されている。温度センサ３１は、図２に示されるように、導風トンネル１３の右側の入口１５Ｒに取り付けられる。代替的に、温度センサ３１は、導風トンネル１３の左側の入口１５Ｌに取り付けられてもよい。
【００２６】
制御部４２は、導風トンネル１３よりも室内側であって第１ヒータ２１及び第２ヒータ２２よりも上方に配置される制御基板４１に搭載される、例えばマイクロコンピュータによって構成される。制御部４２は、例えば、いずれも図示されていない、ＣＰＵ（Central Processing Unit）等で構成される処理部、ＲＯＭ（Read Only Memory），ＲＡＭ（Random Access Memory）等のメモリで構成される記憶部、及び入出力インターフェース部等を備える。制御部４２は、記憶部に記憶されているプログラムを処理部が実行することによって、暖房機１０全体の制御を実現する。
【００２７】
制御部４２は、例えば図示されていない１又は複数のヒータ用駆動回路を制御することによって、第１ヒータ２１及び第２ヒータ２２に対する電力の供給の有無を個別に制御する。制御部４２が第１ヒータ２１及び第２ヒータ２２に対する電力の供給の有無を個別に制御することによって、暖房機１０は複数の暖房モードを実現することができる。
【００２８】
第１ヒータ２１及び第２ヒータ２２の双方に対して電力が供給されるときには、第１ヒータ２１及び第２ヒータ２２の双方が発熱する第１暖房モードが実現する。また、第１ヒータ２１に対して電力が供給されず、且つ、第２ヒータ２２に対して電力が供給されるときには、第１ヒータ２１が発熱せず、且つ、第２ヒータ２２が発熱する第２暖房モードが実現する。また、暖房機１０の複数の暖房モードは、第１暖房モード及び第２暖房モードだけでなく、他の暖房モードも含んでもよい。
【００２９】
また、制御部４２は、例えば図示されていないファンモータ用駆動回路を制御することによってファンモータ５１が任意の回転速度で回転するように制御する。制御部４２がファンモータ５１の回転速度を制御することによって、送風機能の単位時間当たりの送風量を制御することができるため、暖房機１０は複数の送風モードを実現することができる。
【００３０】
複数の送風モードには、第１送風モードと第２送風モードとが含まれており、第２送風モードは第１送風モードと比較してファンモータ５１の回転速度が速い送風モードである。すなわち、第２送風モードは第１送風モードと比較して単位時間当たりの送風量が多い送風モードである。制御部４２は、例えば図示されていないスイッチ又はリモコン等に対する使用者の操作に応じて、任意の送風モードを選択する。代替的に、制御部４２は、室内温度又は他の周辺環境に応じて自動的に任意の送風モードを選択してもよい。
【００３１】
ここで、第１ヒータ２１及び第２ヒータ２２からの熱放射の一部が、反射板１７によって吸収されること、及び／又は反射板１７を透過した先のケース１１の部材等によって吸収されることによって、暖房機１０の内部温度が上昇する。その結果、導風トンネル１３に取り込まれた室内の空気が、この内部温度によって暖められて吹出口１９から吹き出されるため、暖房機１０の送風機能では温風を送風することができる。
【００３２】
制御部４２は、室内温度に応じて、第１暖房モード又は第２暖房モードを自動的に選択してもよい。ここで、比較例として、制御部４２が、温度センサ３１が検出した検出値を室内温度として採用して、室内温度（すなわち温度センサ３１の検出値）に対応する第１暖房モード又は第２暖房モードを自動的に選択すると仮定する。そうすると、上述したように、暖房機１０が運転中であるときには、暖房機１０の内部温度が上昇するため、この比較例における制御部４２は、実際の室内温度より高い温度に基づいて暖房モードを選択することとなる。
【００３３】
そのため、本発明の暖房機１０では、制御部４２は、温度センサ３１の検出値を修正した値を室内温度として採用する。制御部４２は、第１補正要素を用いて温度センサ３１の検出値を修正する。なお、第１補正要素を用いて温度センサ３１の検出値を修正するとは、例えば、温度センサ３１の検出値に第１補正要素を加算することによって温度センサ３１の検出値を修正することである。代替的に、制御部４２は、温度センサ３１の検出値に第１補正要素を減算、積算又は除算することによって温度センサ３１の検出値を修正してもよい。
【００３４】
この第１補正要素は、温度センサ３１の検出値を、実際の検出値よりも低温側に修正する。また、この第１補正要素は、暖房機１０の暖房モードが第２暖房モードのときに、第１暖房モードのときと比較して、温度センサ３１の検出値を高温側に修正する。制御部４２は、暖房モードが第１暖房モードであるか第２暖房モードであるかに応じて、例えば、制御部４２の図示されていない記憶部に記憶している表１に示されるようなテーブルを参照することによって、第１補正要素を決定してもよい。
【００３５】
【表１】
2018004191.tif 000003
【００３６】
制御部４２は、表１に示されるテーブルを参照することによって、暖房モードが第１暖房モードのときには第１補正要素をαに決定する一方で、暖房モードが第２暖房モードのときには第１補正要素をβに決定する。なお、表１に示されるテーブル中のβは、αと比較して、温度センサ３１の検出値を高温側へ修正する。
【００３７】
ここで、暖房モードが第２暖房モードであるときには、上述したように、第２ヒータ２２よりも温度センサ３１から近い第１ヒータ２１が発熱しないため、第１ヒータ２１が発熱する暖房モードである第１暖房モードと比較して、温度センサ３１と熱放射源との距離が長くなる。すなわち、暖房モードが第２暖房モードであるときには、第１暖房モードであるときと比較して、反射板１７又はケース１１の部材等における温度センサ３１近傍の部分に対する、熱放射の影響が少なくなる。その結果、暖房モードが第２暖房モードであるときの温度センサ３１の検出値は、第１暖房モードであるときの温度センサ３１の検出値と比較して、実際の室内温度からの上がり幅が小さくなっている。このことを考慮して、第１補正要素は、暖房機１０の暖房モードが第２暖房モードのときに、第１暖房モードのときと比較して、温度センサ３１の検出値を高温側に補正するように設定されている。
【００３８】
以上のように、暖房機１０は、第１補正要素を用いて温度センサ３１の検出値を修正した値を室内温度として採用する。その結果、暖房機１０の内部温度が上昇することに起因して、暖房機１０が採用する室内温度と実際の室内温度との間に大きな差が発生することを防止することができる。
【００３９】
また、反射板１７に形成される開口である吹出口１９は、第２ヒータ２２と同じ高さに設けられることが好ましい。なお、吹出口１９が第２ヒータ２２と同じ高さに設けられるとは、吹出口１９の少なくとも一部と第２ヒータ２２の少なくとも一部とが、上下方向において重なることである。吹出口１９が第２ヒータ２２と同じ高さに設けられることによって、この吹出口１９から吹き出される風は、第２ヒータ２２の近傍を通過する。その結果、吹出口１９から吹き出される風は、暖房モードが第１暖房モードであっても第２暖房モードであっても発熱する第２ヒータ２２が第２ヒータ２２の周りの空気を暖めることによって発生する対流熱を吸収することによって、その温度が上昇する。
【００４０】
さらに好ましくは、吹出口１９は、図１に示されるように、第２ヒータ２２より上方であって第１ヒータ２１より下方に設けられる。吹出口１９が第２ヒータ２２より上方であって第１ヒータ２１より下方に設けられることによって、この吹出口１９から吹き出される風は、第２ヒータ２２の近傍且つ上方を通過する。その結果、吹出口１９から吹き出される風は、上述した対流熱が上昇してくる経路でその対流熱を吸収することによって、その温度がより上昇する。
【００４１】
また、暖房モードが第２暖房モードのときに第２ヒータ２２を発熱することによって、例えば第２暖房モードにおいて第２ヒータ２２の代わりに第１ヒータ２１を発熱させる場合と比較して、第２暖房モードのときに発熱するヒータによって生じる対流熱を有効に活用することができる。
【００４２】
ここで、本発明の暖房機１０は送風機能を有するため、送風機能によって室内の空気を吸い込むときに、導風トンネル１３の内側の壁及びその周辺の空気と、吸い込まれる室内の空気と、の間で熱交換が行われる。上述したように、暖房機１０の運転中は暖房機１０の内部温度が上昇することによって、導風トンネル１３の内側の壁及びその周辺の空気の温度は、吸い込まれる室内の空気の温度よりも高くなっている。そのため、送風機能によって室内の空気を吸い込むときに、熱力学の第２法則に基づいて、導風トンネル１３の内側の壁及びその周辺の空気の温度が下がる。
【００４３】
すなわち、導風トンネル１３の右側の入口１５Ｒに配置される温度センサ３１の検出値は、暖房機１０の内部温度の上昇の影響を受けると共に、送風機能によって吸い込まれる室内の空気と温度センサ３１の周辺の空気との間の熱交換の影響も受ける。したがって、制御部４２は、暖房機１０の内部温度の上昇を考慮すると共に、さらに送風機能によって吸い込まれる室内の空気によって温度センサ３１の周辺の空気の温度が下がることも考慮して、温度センサ３１の検出値を修正することが好ましい。
【００４４】
このことを実現するために、送風機能が実行されているときには、制御部４２は、第１補正要素を用いて温度センサ３１の検出値を修正した値を、第２補正要素を用いて温度センサ３１の検出値をさらに修正することが好ましい。なお、第２補正要素を用いて温度センサ３１の検出値をさらに修正するとは、例えば、第１補正要素を用いて温度センサ３１の検出値を修正した値に第２補正要素を加算することによって温度センサ３１の検出値を修正することである。代替的に、制御部４２は、第１補正要素を用いて温度センサ３１の検出値を修正した値に第２補正要素を減算、積算又は除算することによって第２補正要素を用いて温度センサ３１の検出値をさらに修正してもよい。
【００４５】
この第２補正要素は、第１補正要素によって実際の温度センサ３１の検出値よりも低温側に修正された検出値を高温側にさらに修正する。また、この第２補正要素は、送風機能の送風モードが第２送風モードのときに、第１送風モードのときと比較して、第２補正要素によって修正された温度センサ３１の検出値を高温側に修正する。制御部４２は、送風モードが第１送風モードであるか第２送風モードであるかに応じて、例えば、制御部４２の図示されていない記憶部に記憶している表２に示されるようなテーブルを参照することによって、第２補正要素を決定してもよい。
【００４６】
【表２】
2018004191.tif 000004
【００４７】
制御部４２は、表２に示されるテーブルを参照することによって、送風モードが第１送風モードのときには第２補正要素をγに決定する一方で、送風モードが第２送風モードのときには第２補正要素をδに決定する。なお、表２に示されるテーブル中のδは、γと比較して、第１補正要素によって修正された温度センサ３１の検出値を高温側へ修正する。
【００４８】
ここで、送風モードが第２送風モードであるときには、上述したように、第１送風モードと比較して単位時間当たりの送風量が多いため、導風トンネル１３の左側及び右側の入口１５Ｌ，１５Ｒから吸い込む室内の空気の単位時間当たりの吸い込み量が多くなる。すなわち、送風機能による単位時間当たりの送風量が多くなるに連れて、温度センサ３１の周辺の空気から奪われる単位時間当たりの熱量が多くなる。その結果、暖房モードが同一であって且つ、室内温度が同一である場合においては、送風モードが第２送風モードであるときの温度センサ３１の検出値は、第１送風モードであるときの温度センサ３１の検出値と比較して低温側になる。
【００４９】
このことを考慮して、第２補正要素は、送風機能の送風モードが第２送風モードのときに、第１送風モードのときと比較して、第１補正要素によって修正された温度センサ３１の検出値を高温側に修正するように設定されている。しかしながら、第２補正要素は、第１補正要素によって実際の温度センサ３１の検出値より低温側に修正された量を超えて、この修正された検出値を高温側に修正することがないように設定されている。すなわち、第２補正要素が、第１補正要素によって実際の温度センサ３１の検出値より低温側に修正された量を超えて、この修正された検出値を高温側に修正するときには、温度センサ３１の検出値を実際の室内温度よりも高温側に修正することになってしまう。
【００５０】
以上のように、暖房機１０は、送風機能が実行されているときには、第１補正要素と第２補正要素とを用いることによって、温度センサ３１の検出値を修正した値を室内温度として採用する。その結果、暖房機１０の内部温度が上昇すること及び、送風機能によって吸い込まれる室内の空気と温度センサ３１の周辺の空気との間の熱交換が行われて温度センサ３１の周辺の空気の温度が下がることに起因して、暖房機１０が採用する室内温度と実際の室内温度との間に大きな差が発生することを防止することができる。
【００５１】
ここで、制御部４２による温度センサ３１の検出値の修正は、第１補正要素を用いて修正して第２補正要素を用いてさらに修正する、２段階の修正に限定されない。すなわち、例えば、制御部４２は、暖房モードによって決定される第１補正要素と、送風モードによって決定される第２補正要素と、の組み合わせで決定される補正値を用いて、温度センサ３１の検出値を１回で修正してもよい。例えば、補正値は、制御部４２が次の式（１）を演算することによって決定されてもよい。
補正値＝第１補正要素＋第２補正要素  （１）
【００５２】
代替的に、補正値は、制御部４２が上記式（１）中の「＋」に代わりに「−」、「×」又は「÷」が用いられる式を演算することによって決定されてもよい。また、補正値は、制御部４２が上記のような式を演算する代わりに、制御部４２の図示されていない記憶部に記憶している表３に示されるようなテーブルを参照することによって、決定されてもよい。
【００５３】
【表３】
2018004191.tif 000005
【００５４】
制御部４２は、表３に示されるテーブルを参照することによって、暖房モードが第１暖房モードであって且つ送風モードが第１送風モードであるときに、補正値をＣＶ１に決定する。同様に、制御部４２は、暖房モードが第２暖房モードであって且つ送風モードが第１送風モードであるときに補正値をＣＶ２に決定し、暖房モードが第１暖房モードであって且つ送風モードが第２送風モードであるときに補正値をＣＶ３に決定し、暖房モードが第２暖房モードであって且つ送風モードが第２送風モードであるときに補正値をＣＶ４に決定する。
【００５５】
図３を参照して、暖房機１０の動作の例の一連の流れを説明する。図３のフローチャートに示される動作は、暖房機１０の運転が開始されたときに開始する。代替的に、暖房機１０の運転が開始して、第１ヒータ２１及び／又は第２ヒータ２２が発熱することによって暖房機１０の内部温度が上昇する十分な時間が経過した後に、図３のフローチャートに示される動作が開始してもよい。
【００５６】
ステップＳ０１では、制御部４２は、温度センサ３１の検出値を取得する。ステップＳ０２では、制御部４２は、上述した方法で第１補正要素及び第２補正要素、又は、補正値を決定する。ステップＳ０３では、制御部４２は、ステップＳ０１で取得した温度センサ３１の検出値を、ステップＳ０２で決定した第１補正要素及び第２補正要素、又は、補正値によって修正する。ステップＳ０４では、ステップＳ０３によって温度センサ３１の検出値を修正した値を室内温度として採用して、室内温度に応じた暖房モードを選択する。
【００５７】
ステップＳ０４の処理が終了すると、フローはスタートに戻る。ここで、図３に示されるフローチャートにおいて、ステップＳ０４の処理が終了するとすぐにステップＳ０１の処理が開始されてもよく、ステップＳ０４の処理が終了した後に所定の待機時間が経過したときにステップＳ０１の処理が開始されてもよい。また、図３に示されるフローチャートにおいて、ステップＳ０１及びステップＳ０２は順番が入れ替わってもよい。
【００５８】
暖房機１０は、このような動作をすることによって、室内温度に応じて適切な暖房モードを選択するいわゆる温調運転を実現することができる。そのため、使用者は、室内温度の変化に応じて、手動で暖房モードを切り替える必要がない。さらに、制御部４２が、温度センサ３１の検出値を修正して得た値を室内温度として採用することによって、温調運転が実際の室内温度から大きく解離した温度に基づいて行われることが防止される。
【００５９】
ここまで説明した実施形態における暖房機１０は、図１に示されるように、第１ヒータ２１及び第２ヒータ２２の２つのヒータを備えるものであったが、暖房機１０が備えるヒータの個数は２つに限定されない。すなわち、暖房機１０は、いずれも壁６０に対して平行に配置され、且つ、水平方向に沿って延びるように配置される、３つ以上のヒータを備えてもよい。この場合であっても、制御部４２は、各ヒータに対する電力の供給の有無を個別に制御する。なお、この３つ以上のヒータのうちの最も上方に配置されるヒータが、温度センサ３１が配置されている位置からの最短距離が最も短くなる。
【００６０】
また、この場合においては、第１暖房モードで全てのヒータが発熱し、第２暖房モードでは３つ以上のヒータのうち少なくとも１つのヒータが発熱すると共に少なくとも温度センサ３１が配置されている位置からの最短距離が最も短いヒータが発熱しない。さらに、吹出口１９は、第２暖房モードにおいて発熱する少なくとも１つのヒータと同じ高さに配置されてもよく、又はこのヒータより上方であって最も上方に配置されているヒータより下方に配置されてもよい。すなわち、第１ヒータ２１及び第２ヒータ２２の２つのヒータを備える場合と同様に、吹出口１９から吹き出される風は、第２暖房モードにおいて発熱する少なくとも１つのヒータの近傍を通過すればよい。
【００６１】
また、ここまで説明した実施形態における暖房機１０は室内温度に応じて適切な暖房モードを選択するいわゆる温調運転機能を備えるものであったが、暖房機１０は温調運転機能を備えるものに限定されない。例えば、暖房機１０は温調運転機能を備えず、制御部４２が温度センサ３１の検出値を修正して得た値を室内温度として採用し、この室内温度を使用者に報知可能に図示されてない表示部に表示してもよい。
【００６２】
また、ここまで説明した実施形態における暖房機１０は送風機能を有するものであったが、暖房機１０は送風機能を有しているものに限定されない。暖房機１０が送風機能を有さない場合には、制御部４２は、第２補正要素を考慮しなくてもよい。すなわち、送風機能を有さない場合には、送風機能によって吸い込まれる室内の空気と温度センサ３１の周辺の空気との間の熱交換が行われることを考慮する必要がない。
【００６３】
さらに、暖房機１０における「暖房機」という表現は、冷房機能をさらに備えることを除外するものではない。すなわち、当然に、暖房機１０が冷房機能をさらに備えるものであってもよい。
【００６４】
本発明は、上述の例示的な実施形態に限定されず、また、当業者は、上述の例示的な実施形態を特許請求の範囲に含まれる範囲まで、容易に変更することができるであろう。
【符号の説明】
【００６５】
１０・・・暖房機、１１・・・ケース、１３・・・導風トンネル、１５Ｒ・・・導風トンネルの右側の入口，１５Ｌ・・・導風トンネルの左側の入口、１７・・・反射板、１９・・・吹出口、２１・・・第１ヒータ、２２・・・第２ヒータ、３１・・・温度センサ、４２・・・制御部、５１・・・ファンモータ、５２・・・ファン。
【図１】
2018004191.tif 000006
【図２】
2018004191.tif 000007
【図３】
2018004191.tif 000008